(57)【要約】  鮮明且つ精度良く画像を形成可能な光ディスクおよび光ディスク装置を提供する。  レーベル面Ｂ側に形成され、記録面Ａ側から入射したレーザ光２８により感熱変化して画像が形成される光描画層１７と、光描画層１７のレーベル面Ｂ側に形成され、光描画層１７を保護すると共に画像をレーベル面Ｂ側から可視可能な保護層１８と、保護層１８および光描画層１７を支持する基板１５と、光描画層１７に形成され、ガイド方向に断続するように形成されたガイドトラック２４と、を備えたものである。
2008139510.tif 000002
【特許請求の範囲】
【請求項１】
レーベル面側に形成され、記録面側から入射したレーザ光により感熱変化して画像が形成される光描画層と、
前記光描画層の前記レーベル面側に形成され、前記光描画層を保護すると共に前記画像を前記レーベル面側から可視可能な保護層と、
前記保護層および前記光描画層を支持する基板と、
前記光描画層に形成され、ガイド方向に断続するように形成されたガイドトラックと、を備えたことを特徴とする光ディスク。
【請求項２】
前記光描画層を構成する感熱変化材料は、前記ガイドトラックの多数の凹部にのみ成膜されていることを特徴とする請求項１に記載の光ディスク。
【請求項３】
前記光描画層を構成する感熱変化材料は、前記ガイドトラックおよびランドに成膜されていることを特徴とする請求項１に記載の光ディスク。
【請求項４】
前記保護層と前記光描画層との間に反射層を、更に備え、
前記反射層は、可視光を透過可能に構成されていることを特徴とする請求項１に記載の光ディスク。
【請求項５】
前記光描画層と前記基板との間に反射層を、更に備えていることを特徴とする請求項１に記載の光ディスク。
【請求項６】
前記基板の前記記録面側に積層した貼合せ基板と、
前記貼合せ基板の貼合せ側に形成した情報記録層と、更に備え、
前記情報記録層は、波長選択透過反射膜を有していることを特徴とする請求項１に記載の光ディスク。
【請求項７】
前記基板の前記記録面側に形成した情報記録層、更に備え、
前記情報記録層は、波長選択透過反射膜を有していることを特徴とする請求項１に記載の光ディスク。
【請求項８】
前記保護層および前記光描画層が、データ領域以外の領域に形成されていることを特徴とする請求項１に記載の光ディスク。
【請求項９】
前記光描画層は、金属粒子を混合した感熱材料で構成されていることを特徴とする請求項１に記載の光ディスク。
【請求項１０】
前記保護層が、印刷装置により印刷可能な印刷層を兼ねていることを特徴とする請求項１に記載の光ディスク。
【請求項１１】
前記保護層が、印刷装置により印刷可能な印刷層を兼ねており、
前記光描画層の非描画時の色彩は、白色系であることを特徴とする請求項１に記載の光ディスク。
【請求項１２】
請求項１に記載の光ディスクを導入し、前記情報記録層にレーザ光を照射し情報を記録および／または再生すると共に、前記光描画層にレーザ光を照射して前記画像を描画することを特徴とする光ディスク装置。
【請求項１３】
前記情報記録層に照射する前記レーザ光と、前記光描画層に照射する前記レーザ光とは、波長が異なることを特徴とする請求項１２に記載の光ディスク装置。
【請求項１４】
前記ガイドトラックに基づいて、前記光描画層にレーザ光を照射して前記画像を描画することを特徴とする請求項１２に記載の光ディスク装置。
【発明の詳細な説明】
【技術分野】
【０００１】
本発明は、レーベル面側に、記録面側からのレーザ光により画像形成可能な光描画層を形成した光ディスクおよび光ディスク装置に関するものである。
【背景技術】
【０００２】
従来のレーザ光によりレーベル面に描画可能な光ディスクは、記録面側から第１の基板、情報記録層、反射層、接着剤層、第２の基板、画像記録層、保護層を積層して構成されている（例えば、特許文献１）。この場合、ＤＶＤ（Digital Versatile Disc）用のレーザ光により情報記録層でトラッキングを行ないながら、ＣＤ（Compact Disc）用のレーザ光により画像記録層に可視画像を描画するようになっている。
【特許文献１】特開２００５−１９６９１７号公報
【発明の開示】
【発明が解決しようとする課題】
【０００３】
このような、従来の光ディスクでは、情報記録層でトラッキングを行いながら画像記録層に描画を行うため、トラッキング用のレーザ光を情報記録層にフォーカスさせなければならない。その際、情報記録層と描画層とが離間していると、情報記録層にフォーカスしたレーザ光が、描画層ではデフォーカスされてしまう可能性がある。そのため、情報記録層にレーザ光をフォーカスさせた状態でも、描画層に照射するレーザ光で十分な熱量を得られる程度にフォーカス可能にするには情報記録層と描画層とが十分に近接していなければならない。しかし、情報記録装置と描画層が近接していると、情報記録層に情報を記録する際に発生する熱が描画層へ伝わり、描画層の色素に影響を与えて既に描かれた画像等を上書きしてしまう可能性があった。また、レーザ光照射点付近へガイドトラックを伝って熱拡散されることにより、発色が照射点付近に滲んでしまうという問題もあった。【０００４】
さらにDVD用のトラックピッチは0.74ミクロンに対して、CDは1.6ミクロンでDVDのトラックピッチでトラッキングをかけて、CDのビームで描画すると重ねがきが生じてしまい、デフォーカスと相まってパワー制御が複雑困難になる。またCDの太いビームがあるにもかかわらず、DVDでトラッキングをかけると、重ね書きするために時間がそれだけ余計にかかるという欠点がある。【０００５】
本発明は、滲みのない鮮明な画像を記録面側からレーザ光により精度良く形成可能な光ディスクおよび光ディスク装置を提供することをその課題としている。
【課題を解決するための手段】
【０００６】
本発明の光ディスクは、レーベル面側に形成され、記録面側から入射したレーザ光により感熱変化して画像が形成される光描画層と、光描画層のレーベル面側に形成され、光描画層を保護すると共に画像をレーベル面側から可視可能な保護層と、保護層および光描画層を支持する基板と、光描画層に形成され、ガイド方向に断続するように形成されたガイドトラックと、を備えたことを特徴とする。【０００７】
この構成によれば、ガイドトラックを描画のためのトラッキング用およびフォーカシング用とし用いることで、精度よく描画を行うことができる。また、ガイドトラック内の光描画層を感熱変化させることにより、画線ににじみ（ぼやけ）等のない鮮明な描画を形成することができる。なお、光描画層の感熱変化材料としては、ロイコ染料／長鎖型顕色剤やコレステリック液晶（カラー）等を用いることが好ましい。【０００８】
この場合、光描画層を構成する感熱変化材料は、ガイドトラックの多数の凹部にのみ成膜されていることが、好ましい。【０００９】
この構成によれば、ガイドトラックの多数の凹部を画像におけるピクセル的に機能させることができ、画線ににじみ（ぼやけ）等のない鮮明な描画を形成することができる。すなわち、画像の解像度を高めることができる。【００１０】
同様に、光描画層を構成する感熱変化材料は、ガイドトラックおよびランドに成膜形成されていることが、好ましい。【００１１】
この構成によれば、適度に鮮明な描画を得ることができると共に、十分なコントラストを有する画像を得ることができる。【００１２】
この場合、保護層と光描画層との間に反射層を、更に備え、反射層は、可視光を透過可能に構成されていることが、好ましい。【００１３】
この構成によれば、ガイドトラックを描画のためのトラッキング用およびフォーカシング用とし用いる場合に、十分な反射光を得ることができると共に、描画結果の視認性を損なうことがない。また、光描画層を適切に感熱変化させることができる。【００１４】
同様に、光描画層と基板との間に反射層を、更に備えていることが好ましい。【００１５】
この構成によれば、描画結果の視認性を向上させることができると共に、光スポットにより反射層が加熱され光描画層に伝熱（固体間の伝熱）させることで、光描画層を適切に感熱変化させることができる。【００１６】
また、基板の記録面側に積層した貼合せ基板と、貼合せ基板の貼合せ側に形成した情報記録層と、更に備え、情報記録層は、波長選択透過反射膜を有していることが、好ましい。【００１７】
同様に、基板の記録面側に形成した情報記録層、更に備え、情報記録層は、波長選択透過反射膜を有していることが、好ましい。【００１８】
この構成によれば、光描画層と情報記録層とが重なって形成されていても、情報記録層に対する記録・再生に用いるレーザ光と、波長の異なるレーザ光を用いることにより、光描画層に描画を行なうことができる。例えば、ＤＶＤ−Ｒ（６５０ｎｍ）であれば、ＣＤ用のレーザ光（７８０ｎｍ）により描画が可能となり、Blu-ray Disc（４０５ｎｍ）であれば、ＤＶＤ用のレーザ光（６５０ｎｍ）やＣＤ用のレーザ光（７８０ｎｍ）により描画が可能となる。【００１９】
この場合、保護層および光描画層が、データ領域以外の領域に形成されていることが、好ましい。【００２０】
この構成によれば、記録・再生のための情報記録層等と光描画層とが重なることがないため、情報記録層（や反射層）等に一切の影響を与えることなく、光描画層に描画を行なうことができる。【００２１】
この場合、光描画層は、金属粒子を混合した感熱材料で構成されていることが、好ましい。【００２２】
この構成によれば、光描画層の熱吸収性を高めることができ、感熱変化を促進させることができる。【００２３】
この場合、保護層が、印刷装置により印刷可能な印刷層を兼ねていることが、好ましい。【００２４】
この構成によれば、光描画層への光描画の他、保護層への印刷装置による描画が可能となり、ユーザはいずれかの描画形態を選択することができる。これにより、レーベル面側から視認可能な描画形態の自由度を高めることができる。【００２５】
同様に、保護層が、印刷装置により印刷可能な印刷層を兼ねており、光描画層の非描画時の色彩は、白色系であることが好ましい。【００２６】
この構成によれば、保護層に印刷された描画結果に対し、その下地色となる光描画層が白色系となるため、印刷装置により印刷にあっても、十分なコントラストを有する描画結果を得ることができる。【００２７】
本発明の光ディスク装置は、上記した光ディスクを導入し、情報記録層にレーザ光を照射し情報を記録および／または再生すると共に、光描画層にレーザ光を照射して画像を描画することを特徴とする。【００２８】
この構成によれば、記録・再生用のレーザ光、光ディスクの駆動系および制御系を活用して、光ディスクに対し、レーベル面側から視認可能な任意の画像を形成することができる。【００２９】
この場合、情報記録層に照射するレーザ光と、光描画層に照射するレーザ光とは、波長が異なることが好ましい。【００３０】
この構成によれば、光ディスクに対する記録・再生と描画（画像形成）とを、相互の影響を極力排除した状態で実行することができる。【００３１】
この場合、ガイドトラックに基づいて、光描画層にレーザ光を照射して画像を描画することを特徴とする。【００３２】
この構成によれば、高い描画精度であって且つ高い描画品質の画像を得ることができる。
【図面の簡単な説明】
【００３３】
【図１】実施形態に係る光ディスク装置のブロック図である。
【図２】実施形態に係る光ディスク（ＤＶＤ−Ｒ）の模式的断面図である。
【図３】描画用ガイドトラック廻りの部分拡大斜視図である。
【図４】描画用ガイドトラック廻りの拡大断面図である。
【図５】第１実施形態の変形例に係る光ディスク（ＤＶＤ−Ｒ）の模式的断面図である。
【図６】第１実施形態の変形例に係る描画用ガイドトラック廻りの部分拡大斜視図である。
【図７】第２実施形態に係る光ディスク（ＢＤ）の模式的断面図である。
【図８】第３実施形態に係る光ディスク（ＤＶＤ−Ｒ）の模式的断面図である。
【符号の説明】
【００３４】
１  光ディスク装置                    ２  光ピックアップ
１１  第１基板                        １２  情報記録層
１３  第１反射層                      １５  第２基板
１６  第２反射層                      １７  光描画層
１８  保護層                          ２４  描画用ガイドトラック
２５  画像形成層                      ２７  ＤＶＤ用レーザ光
２８  ＣＤ用レーザ光                  ３１  凹部
３２  平坦部                          ３３  ランド
４１  情報記録層                      ４２  第１反射層
４３  基板                            ４４  第２反射層
４５  光描画層                        ４６  保護層
５４  描画用ガイドトラック            ５７  ＢＤ用レーザ光
６１  データ領域                      ６２  クランプ領域
Ａ  記録面                            Ｂ  レーベル面
Ｄ，Ｄａ，Ｄｂ，Ｄｃ  光ディスク
【発明を実施するための最良の形態】
【００３５】
以下、添付の図面を参照して、本発明の光ディスクおよび光ディスク装置について説明する。この光ディスクは、例えばＤＶＤ−ＲやBlu-ray Disc等で構成され、情報を記録・再生するのための情報記録層を有すると共に、記録した情報のタイトル名やファイナライズ後の「ＤＶＤ−ＲＯＭ」表記等を視認可能に描画するための光描画層を有している。一方、光ディスク装置は、ＣＤやＤＶＤ（Blu-ray Disc）に対し、記録・再生を行う機能を有しており、この機能を利用して光ディスクの光描画層に所望の画像を描画可能に構成されている。【００３６】
図１に示すように、光ディスク装置１は、光ディスクＤを回転させるスピンドルモータ２と、光ディスクＤにレーザ光を照射する光ピックアップ３と、光ディスクＤからの反射光を検出する光検出器４と、レーザ光を制御する記録／再生信号回路５と、光検出器４の検出結果に基づいて、トラッキングエラー信号やフォーカスエラー信号といった制御信号を生成する制御信号処理回路６と、制御信号処理回路６で生成された制御信号に基づいて、光ピックアップ３を制御するサーボ制御回路７と、全体を統括制御する統括制御回路８と、を備えている。【００３７】
スピンドルモータ２は、光ディスクＤを一定の角速度で回転させ（ＣＡＶ方式）、或いは一定の線速度で回転させる（ＣＬＶ方式）。光ピックアップ３は、記録ビームまたは再生ビームとして機能するレーザ光を光ディスクＤの記録面側から照射すると共に、記録面側からの反射光を光検出器４に導く。この場合、光ピックアップ３は、例えばレーザ光源となるＣＤ用半導体レーザ（波長７８０ｎｍ）、ＤＶＤ用半導体レーザ（波長６５０ｎｍ）およびBlu-ray Disc用半導体レーザ（波長４０５ｎｍ）を備えると共に、対物レンズを含む光学系、フォーカスアクチュエータ、トラックアクチュエータ、受光素子（光検出器４）およびポジションセンサ等を備えている（いずれも図示省略）。【００３８】
光検出器４は、光ピックアップ３から受光した反射光を、電気信号（検出信号）に変換し、記録／再生信号回路５および制御信号処理回路６に出力する。記録／再生信号回路５は、光ディスクＤに対する記録時には、記録信号を受け取り、符号化処理や変調処理を施して光ピックアップ３に出力する。また、記録／再生信号回路５は、光ディスクＤに対する再生時には、光検出器４から入力した検出信号に対し、符号化処理やＤ／Ａ変換処理等を施し、再生信号として図外の映像出力部や音声出力部に出力する。【００３９】
制御信号処理回路６は、光検出器４から検出信号を受け取り、トラッキングサーボやフォーカスサーボ等のための制御信号を生成し、サーボ制御回路７および統括制御回路８に出力する。サーボ制御回路７は、制御信号処理回路６から入力したトラッキングエラー信号やフォーカスエラー信号等に基づいて、スピンドルモータ２および光ピックアップ３を制御するための駆動制御信号を生成し、スピンドルモータ２および光ピックアップ３に出力する。統括制御回路８は、ＣＰＵを備え、予め用意されたプログラムに基づいて、各構成装置の総合的な制御を行う。【００４０】
そして、光ディスクＤへの記録においては、光検出器４からの検出信号から生成したトラッキングエラー信号に基づいてトラッキングを行いつつ、強いレーザパワーのビーム（記録ビーム）で情報記録層１２にマークを形成することで記録を行なう。また、光ディスクＤの再生においては、弱いレーザパワーのビーム（再生ビーム）を光ディスクＤに照射すると共に、その反射光を光検出器４で検出し、その検出信号に基づいて記録されている情報を読み取り再生を行う。【００４１】
一方、図２に示すように、ＤＶＤ−Ｒで構成した光ディスクＤａは、記録面Ａ側から順に、第１基板（貼合せ基板）１１、情報記録層１２、第１反射層１３、接着層１４、第２基板（基板）１５、第２反射層１６、光描画層１７、保護層１８を積層して構成されている。第２基板（基板）１５は情報記録層１２に情報を記録する際に発生する熱が光描画層１７に影響を与えない程度の厚さを有していることが好ましい。また、情報記録層１２には、記録／再生用ガイドトラック２１が形成されており、情報記録層１２および第１反射層１３により、ＤＶＤ用半導体レーザによる記録・再生のためのＤＶＤ層２２が構成されている。同様に、光描画層１７には、描画用ガイドトラック２４が形成されており、第２反射層１６、光描画層１７および保護層１８により、ＣＤ用半導体レーザによる描画のための画像形成層２５が構成されている。なお、ＤＶＤ層２２は、２層（複層）としてもよい。【００４２】
第１基板１１は、ポリカーボネート等で構成されている。情報記録層１２は、有機色素材料から成り、ＤＶＤ用レーザ光２７が照射されることにより、変質していわゆるピットが形成される。また、記録／再生用ガイドトラック２１は、光ピックアップ３から照射されるＤＶＤ用レーザ光（６５０ｎｍ）２７をトラッキングさせる。第１反射層１３は、波長選択透過反射膜で構成された金属膜等から成り、第１基板１１および情報記録層１２を透過したＤＶＤ用レーザ光２７を反射する一方、ＣＤ用レーザ光（７８０ｎｍ）２８を透過する。【００４３】
第２基板１５は、ポリカーボネート等で構成されている。第２反射層１５は、金、銀、アルミニウム等の金属膜から成り、第１基板１１、情報記録層１２、第１反射層１３、接着層１４および第２基板１５を透過したＣＤ用レーザ光２８を反射すると共に、レーベル面Ｂ側から保護層１８および光描画層１７を透過した可視光を反射する。光描画層１７は、記録面Ａ側からのＣＤ用レーザ光２８により感熱変化（熱変色）して画像が形成されるものであり、例えばロイコ染料／長鎖型顕色剤やコレステリック液晶（カラー画像）等の感熱変化材料で構成されている。この場合、吸熱性（光吸収性）を高めるべく感熱変化材料に金属粒子を混合することが、好ましい。また、描画用ガイドトラック２４は、光ピックアップ３から照射されるＣＤ用レーザ光２８をトラッキングさせる。【００４４】
保護層１８は、光描画層１７を保護すると共に透明或いは透光性の保護材料から成り、光描画層１７に形成した画像をレーベル面Ｂ側から可視可能に構成されている。また、保護層１８は、インク保持力を有する印刷層を兼ねており、その表面に専用のプリンタ（印刷装置）により印刷が行えるようになっている。すなわち、実施形態の光ディスクＣａでは、光描画層１７に対し記録面Ａ側からＣＤ用レーザ光２８による描画が可能であると共に、保護層１８にレーベル面Ｂ側からプリンタ（例えばインクジェットプリンタ）による描画が可能に構成されている。なお、プリンタによる描画結果の視認性を高めるべく、光描画層１７の色彩を白色系とすることが好ましい。また、言うまでもないが、ＣＤ用レーザ光２８ではいわゆる鏡文字が描画され、プリンタでは正像文字が描画される。【００４５】
図３および図４に示すように、描画用ガイドトラック２４は、ガイド方向（延在方向）に断続するように、すなわち凹部３１と平坦部３２とがガイド方向に交互に且つ連続して形成されている。第２基板１５の表面は、多数の凹部３１と多数の平坦部３２とランド部３３とから成り、この上に膜状の第２反射層１６が形成されるが、図４（ａ）に示すように、光描画層１７の感熱変化材料をこの多数の凹部３１にのみ成膜するのが好ましいが、図４（ｂ）に示すように、光描画層１７の感熱変化材料をこの多数の凹部３１と共に多数の平坦部３２およびランド部３３に成膜するようにしてもよい。このように描画用ガイドトラックを物理的に断続形状にすることにより、凹部３１に成膜された感熱変化材料にレーザ光を照射して発色させる際の、レーザ光照射点付近への熱拡散が分断されるため、滲みの少ない鮮明な画像を描くことができるようになる。なお、このガイドトラックの分断は、グルーブに凹凸形状を設けることで形成してもよい。また、トラックに設けたピットによって形成してもよい。また、ガイドトラックの分断は、所定の単位（最小ピット長単位あるいはセクターアドレス、ＥＣＣブロックアドレス単位）で平均的に分散して設けられていることが好ましい。  【００４６】
描画動作は、ＣＤ用レーザ光２８を描画用ガイドトラック２４にトラッキングさせながら、描画データに基づいてＣＤ用レーザ光２８を光描画層（第２反射層１６）１７の所望の位置に照射して行なわれる。すなわち、第１基板１１、情報記録層１２及び第１反射層１３を透過させて、光描画層１７の描画用ガイドトラック２４に照射したＣＤ用レーザ光２８の反射光を、上記の光検出器４により検出する。そして、この検出信号に基づいて制御信号処理回路６により生成したトラッキングサーボの制御信号により、サーボ制御回路７がトラッキングエラー信号に基づいて、図示しないレンズアクチュエータにより対物レンズを動かしてトラッキングを行なう。これにより、ＣＤ用レーザ光２８は、描画用ガイドトラック２４を精度良くトラッキング可能であると共に、所望の位置においてレーザパワーを変化させて描画を行なうことができるのである。光描画層１７へのＣＤ用レーザ光２８の照射は、例えばＣＤ用レーザ光２８のレーザパワーの強弱と感熱変化材料の色変化との関係を表した制御テーブルに基づいて、光ディスク上の所望の位置に対して感熱変化材料に色変化をもたらすレーザパワーでレーザ光を照射することで描画を行うようにする。描画データに基づいてレーザを照射すべき光描画層１７上の位置は、例えば描画用ガイドトラック２４にプリピットなどによって予め設けられているアドレス情報などに基づいて求めることが出来る。このようにして、ＣＤ用レーザ光２８の光スポットによる光描画層１７の加熱部分が熱変色することで、描画が行なわれる。より具体的には、ＣＤ用レーザ光２８は、第２反射層１６にスポッティングされ、これにより第２反射層１６が加熱され、この第２反射層１６から伝熱された光描画層１７の加熱部分が熱変色することとなる。  【００４７】
同図（ａ）の構造では、各凹部３１内の光描画層１７の感熱変化材料が熱変色することになるため、多数の凹部３１を画像におけるピクセル的に機能させることができる。このため、コントラスト（濃度）はやや落ちるものの、画線ににじみ（ぼやけ）等のない鮮明な描画を形成することができる。一方、同図（ｂ）の構造では、各凹部３１内に限らず平坦部３２およびランド部３３においても光描画層１７の感熱変化材料が熱変色することになるため、十分なコントラストの画像を得ることができる。また、各凹部３１の各々に、異なる発色が可能な感熱変化材料を成膜しておきことで、複数色での描画を可能にすることができる。同様にトラック単位や、所定アドレスで異なる発色が可能な感熱変化材料を成膜したりすることでも同様の効果を得ることができる。【００４８】
また、描画用ガイドトラック２４によりトラッキング信号の他、その凹部３１と平坦部３２とにより光描画層１７のアドレス信号を取得することが可能である。従って、ＣＤ用レーザ光２８による光描画層１７への描画は、例えば画像データがビットマップ形式である場合には、この画像データを極座標形式のデータに変換し、光ディスク盤面上の実際の位置と、光描画層１７のアドレスで示される位置との関係に基づき描画位置を定めればよい。なお、描画に際し、予め光ディスクＤａに表記されている「ＤＶＤ−Ｒ」の文字が位置認識可能であれば、（もしくは「ＤＶＤ−Ｒ」の文字が既知の位置に描かれているのであれば）ファイナライズ後の光ディスクの「ＤＶＤ−Ｒ」の表記の後ろに「ＯＭ」を描画し、表記を「ＤＶＤ−ＲＯＭ」に変えることも可能である。これにより、何も記録されていないＤＶＤ−Ｒディスクに情報を記録した後に、ＤＶＤ−ＲＯＭディスクのように表示することが出来る。【００４９】
以上のように、本実施形態によれば、描画用ガイドトラック２４を描画のためのトラッキング用およびフォーカシング用とし用いることで、記録面Ａ側から照射したレーザ光によっても精度よく描画を行うことができる。また、描画用ガイドトラック２４内における光描画層１７の感熱変化材料を感熱変化させることにより、画線ににじみ（ぼやけ）等のない鮮明な描画を形成することができる。また、描画用ガイドトラック２４を設けたことにより、光描画層１７の所望の位置に正確に描画することができる。また、光描画層１７と情報記録層１２の間に第２基板１５を設けたことにより、情報記録層１２に情報を記録した際の熱の影響が光描画層１７に伝わるのを防止することができる。さらに、描画用ガイドトラックを断続形状にすることにより、凹部３１に成膜された感熱変化材料にレーザ光を照射して発色させる際の、レーザ光照射点付近への熱拡散が分断されるため、滲みの少ない鮮明な画像を描くことができるようになるという効果を有する。【００５０】
なお、上記の第１実施形態の変形例として、第２反射層１６を光描画層１７と保護層１８との間に形成してもよい（図５参照）。この場合の第２反射層１６は、可視光を透過可能に構成されていることが、好ましい。これにより、描画用ガイドトラック２４を描画のためのトラッキング用およびフォーカシング用とし用いる場合に、十分な反射光を得ることができ、且つ光描画層１７の熱変化材料を直接加熱することができ、描画用のレーザーパワーを小さくすることができる。また、描画結果の視認性を損なうことがない。一方、描画用ガイドトラック２４を、記録／再生用ガイドトラック２１と同様に連続的な溝状に形成してもよい（図６参照）。また、描画用ガイドトラック２４でトラッキングしながら光描画層１７に描画が可能である。従って、情報記録層１２に設けられた記録／再生用ガイドトラック２１を利用することなく描画が可能であり、光描画層１７と情報記録層１２とを十分に離間させて構成することができる。【００５１】
次に、図７を参照して、Blu-ray Discで構成した光ディスクＤｂの第２実施形態につき、主に第１実施形態と異なる部分について説明する。この光ディスクＤｂは、記録面Ａ側から順に、情報記録層４１、第１反射層４２、基板４３、第２反射層４４、光描画層４５、保護層４６を積層して構成されている（記録面Ａ側の保護層は省略）。情報記録層４１には記録／再生用ガイドトラック５１が形成されており、第１反射層４２および情報記録層４１により、Blu-ray
Disc用半導体レーザによる記録・再生のためのBlu-ray Disc層５２が構成されている。一方、第１実施形態と同様に、光描画層４５には描画用ガイドトラック５４が形成されており、第２反射層４４、光描画層４５および保護層４６により、ＣＤ用半導体レーザによる描画のための画像形成層５５が構成されている。【００５２】
この場合も、第１反射層４２は、波長選択透過反射膜で構成され、情報記録層４１を透過したBlu-ray
Disc用レーザ光（４０５ｎｍ）５７を反射する一方、ＣＤ用レーザ光（７８０ｎｍ）２８を透過する。そして、描画動作は、ＣＤ用レーザ光２８を描画用ガイドトラック５４にトラッキングさせながら、描画データに基づいてＣＤ用レーザ光２８を光描画層（第２反射層４４）４５に照射して行なわれる。【００５３】
このように、光ディスクＤｂがBlu-ray Discであっても、描画用ガイドトラック５４により、描画精度が高く且つ描画レーベル面Ｂ側から見て鮮明な画像を描画することができる。また、光描画層４５と情報記録層４１とを十分に離間させて構成することができる。【００５４】
次に、図８を参照して、ＤＶＤ−Ｒで構成した光ディスクＤｃの第３実施形態につき、主に第１実施形態と異なる部分について説明する。この実施形態では、画像形成層２５が、データ領域６１以外の領域、例えばクランプ領域６２に形成されている。すなわち、光ディスクＤｃのデータ領域６１には、情報記録層１２および第１反射層１３を有するＤＶＤ層２２が構成され、クランプ領域６２には、第２反射層１６および光描画層（保護層１６）１７を有する画像形成層２５が構成されている。【００５５】
また、第１実施形態と同様に、情報記録層１２には、データ領域６１に位置して記録／再生用ガイドトラック２１が形成される一方、光描画層１７には、クランプ領域６２に位置して描画用ガイドトラック２４が形成されている。そして、描画動作は、ＣＤ用レーザ光２８を描画用ガイドトラック２４にトラッキングさせながら、描画データに基づいてＣＤ用レーザ光２８を光描画層（第２反射層１６）１７に照射して行なわれる。なお、画像形成層を、上記のＤＶＤ層と同一の積層位置に形成するようにしてもよい。【００５６】
このように、記録・再生のためのＤＶＤ層２２と、光描画層１７を有する画像形成層２５とが重なることがないため、情報記録層１２や第１反射層１３等に一切の影響を与えることなく、光描画層１７に描画を行なうことができる。また、描画用ガイドトラック５４により、描画精度が高く且つ鮮明な画像を描画することができる。なお、上記第３実施形態の構成は、Blu-ray Discにも適用可能である。
【図１】
2008139510.tif 000003
【図２】
2008139510.tif 000004
【図３】
2008139510.tif 000005
【図４】
2008139510.tif 000006
【図５】
2008139510.tif 000007
【図６】
2008139510.tif 000008
【図７】
2008139510.tif 000009
【図８】
2008139510.tif 000010
【手続補正書】
【提出日】平成19年11月29日(2007.11.29)
【手続補正１】
【補正対象書類名】特許請求の範囲
【補正対象項目名】全文
【補正方法】変更
【補正の内容】
【特許請求の範囲】
【請求項１】
レーベル面側に形成され、記録面側から入射したレーザ光により感熱変化して画像が形成される光描画層と、
前記光描画層の前記レーベル面側に形成され、前記光描画層を保護すると共に前記画像を前記レーベル面側から可視可能な保護層と、
前記保護層および前記光描画層を支持する基板と、
前記光描画層に形成され、ガイド方向に断続するように形成されたガイドトラックと、を備え、
前記光描画層を構成する感熱変化材料は、前記ガイドトラックの複数の凹部にのみ成膜されていることを特徴とする光ディスク。
【請求項２】
（削除）
【請求項３】
（削除）
【請求項４】
前記保護層と前記光描画層との間に反射層を、更に備え、
前記反射層は、可視光を透過可能に構成されていることを特徴とする請求項１に記載の光ディスク。
【請求項５】
前記光描画層と前記基板との間に反射層を、更に備えていることを特徴とする請求項１に記載の光ディスク。
【請求項６】
前記基板の前記記録面側に積層した貼合せ基板と、
前記貼合せ基板の貼合せ側に形成した情報記録層と、更に備え、
前記情報記録層は、波長選択透過反射膜を有していることを特徴とする請求項１に記載の光ディスク。
【請求項７】
前記基板の前記記録面側に形成した情報記録層、更に備え、
前記情報記録層は、波長選択透過反射膜を有していることを特徴とする請求項１に記載の光ディスク。
【請求項８】
前記保護層および前記光描画層が、データ領域以外の領域に形成されていることを特徴とする請求項１に記載の光ディスク。
【請求項９】
前記光描画層は、金属粒子を混合した感熱材料で構成されていることを特徴とする請求項１に記載の光ディスク。
【請求項１０】
前記保護層が、印刷装置により印刷可能な印刷層を兼ねていることを特徴とする請求項１に記載の光ディスク。
【請求項１１】
前記保護層が、印刷装置により印刷可能な印刷層を兼ねており、
前記光描画層の非描画時の色彩は、白色系であることを特徴とする請求項１に記載の光ディスク。
【請求項１２】
請求項１に記載の光ディスクを導入し、前記情報記録層にレーザ光を照射し情報を記録および／または再生すると共に、前記光描画層にレーザ光を照射して前記画像を描画することを特徴とする光ディスク装置。
【請求項１３】
前記情報記録層に照射する前記レーザ光と、前記光描画層に照射する前記レーザ光とは、波長が異なることを特徴とする請求項１０に記載の光ディスク装置。
【請求項１４】
前記ガイドトラックに基づいて、前記光描画層にレーザ光を照射して前記画像を描画することを特徴とする請求項１０に記載の光ディスク装置。
【手続補正２】
【補正対象書類名】明細書
【補正対象項目名】０００２
【補正方法】変更
【補正の内容】
【０００２】
色が照射付近に滲んでしまうという問題もあった。
［０００４］
さらにＤＶＤ用のトラックピッチは０．７４ミクロンに対して、ＣＤは１．６ミクロンでＤＶＤのトラックピッチでトラッキングをかけて、ＣＤのビームで描画すると重ねがきが生じてしまい、デフォーカスと相まってパワー制御が複雑困難になる。またＣＤの太いビームがあるにもかかわらず、ＤＶＤでトラッキングをかけると、重ね書きするために時間がそれだけ余計にかかるという欠点がある。
［０００５］
本発明は、滲みのない鮮明な画像を記録面側からレーザ光により精度良く形成可能な光ディスクおよび光ディスク装置を提供することをその課題としている。
課題を解決するための手段
［０００６］
本発明の光ディスクは、レーベル面側に形成され、記録面側から入射したレーザ光により感熱変化して画像が形成される光描画層と、光描画層のレーベル面側に形成され、光描画層を保護すると共に画像をレーベル面側から可視可能な保護層と、保護層および光描画層を支持する基板と、光描画層に形成され、ガイド方向に断続するように形成されたガイドトラックと、を備え、光描画層を構成する感熱変化材料は、ガイドトラックの複数の凹部に成膜されていることを特徴とする。
［０００７］
この構成によれば、ガイドトラックを描画のためのトラッキング用およびフォーカシング用とし用いることで、精度よく描画を行うことができる。また、ガイドトラック内の光描画層を感熱変化させることにより、画線ににじみ（ぼやけ）等のない鮮明な描画を形成することができる。なお、光描画層の感熱変化材料としては、ロイコ染料／長鎖型顕色剤やコレステリック液晶（カラー）等を用いることが好ましい。
また、ガイドトラックの複数の凹部を画像におけるピクセル的に機能させることができ、画線ににじみ（ぼやけ）等のない鮮明な画像を形成することができる。すなわち、画像の解像度を高めることができる。
［０００８］
［０００９］
［００１０］
【手続補正３】
【補正対象書類名】明細書
【補正対象項目名】０００３
【補正方法】変更
【補正の内容】
【０００３】
［００１１］
［００１２］
この場合、保護層と光描画層との間に反射層を、更に備え、反射層は、可視光を透過可能に構成されていることが、好ましい。
［００１３］
この構成によれば、ガイドトラックを描画のためのトラッキング用およびフォーカシング用とし用いる場合に、十分な反射光を得ることができると共に、描画結果の視認性を損なうことがない。また、光描画層を適切に感熱変化させることができる。
［００１４］
同様に、光描画層と基板との間に反射層を、更に備えていることが好ましい。
［００１５］
この構成によれば、描画結果の視認性を向上させることができると共に、光スポットにより反射層が加熱され光描画層に伝熱（固体間の伝熱）させることで、光描画層を適切に感熱変化させることができる。
［００１６］
また、基板の記録面側に積層した貼合せ基板と、貼合せ基板の貼合せ側に形成した情報記録層と、更に備え、情報記録層は、波長選択透過反射膜を有していることが、好ましい。
［００１７］
同様に、基板の記録面側に形成した情報記録層、更に備え、情報記録層は、波長選択透過反射膜を有していることが、好ましい。
［００１８］
この構成によれば、光描画層と情報記録層とが重なって形成されていても、情報記録層に対する記録・再生に用いるレーザ光と、波長の異なるレーザ光を用いることにより、光描画層に描画を行なうことができる。例えば、ＤＶＤ−Ｒ（６５０ｎｍ）であれば、ＣＤ用のレーザ光（７８０ｎｍ）により描画が可能となり、Ｂｌｕ−ｒａｙＤｉｓｃ（４０５ｎｍ）であれば、ＤＶＤ用のレーザ光（６５０ｎｍ）やＣＤ用のレーザ光（７８０ｎｍ）により描画が可能となる。
［００１９］
この場合、保護層および光描画層が、データ領域以外の領域に形成されていることが、好ましい。
【手続補正４】
【補正対象書類名】明細書
【補正対象項目名】０００９
【補正方法】変更
【補正の内容】
【０００９】
［００４４］
保護層１８は、光描画層１７を保護すると共に透明或いは透光性の保護材料から成り、光描画層１７に形成した画像をレーベル面Ｂ側から可視可能に構成されている。また、保護層１８は、インク保持力を有する印刷層を兼ねており、その表面に専用のプリンタ（印刷装置）により印刷が行えるようになっている。すなわち、実施形態の光ディスクＣａでは、光描画層１７に対し記録面Ａ側からＣＤ用レーザ光２８による描画が可能であると共に、保護層１８にレーベル面Ｂ側からプリンタ（例えばインクジェットプリンタ）による描画が可能に構成されている。なお、プリンタによる描画結果の視認性を高めるべく、光描画層１７の色彩を白色系とすることが好ましい。また、言うまでもないが、ＣＤ用レーザ光２８ではいわゆる鏡文字が描画され、プリンタでは正像文字が描画される。
［００４５］
図３および図４に示すように、描画用ガイドトラック２４は、ガイド方向（延在方向）に断続するように、すなわち凹部３１と平坦部３２とがガイド方向に交互に且つ連続して形成されている。第２基板１５の表面は、多数の凹部３１と多数の平坦部３２とランド部３３とから成り、この上に膜状の第２反射層１６が形成されるが、図４（ｂ）に示すように、光描画層１７の感熱変化材料をこの多数の凹部３１にのみ成膜するのが好ましいが、図４（ａ）に示すように、光描画層１７の感熱変化材料をこの多数の凹部３１と共に多数の平坦部３２およびランド部３３に成膜するようにしてもよい。このように描画用ガイドトラックを物理的に断続形状にすることにより、凹部３１に成膜された感熱変化材料にレーザ光を照射して発色させる際の、レーザ光照射点付近への熱拡散が分断されるため、滲みの少ない鮮明な画像を描くことができるようになる。なお、このガイドトラックの分断は、グルーブに凹凸形状を設けることで形成してもよい。また、トラックに設けたピットによって形成してもよい。また、ガイドトラックの分断は、所定の単位（最小ピット長単位あるいはセクターアドレス、ＥＣＣブロックアドレス単位）で平均的に分散して設けられていることが好ましい。
［００４６］
描画動作は、ＣＤ用レーザ光２８を描画用ガイドトラック２４にトラッキ
【手続補正５】
【補正対象書類名】明細書
【補正対象項目名】００１０
【補正方法】変更
【補正の内容】
【００１０】
ングさせながら、描画データに基づいてＣＤ用レーザ光２８を光描画層（第２反射層１６）１７の所望の位置に照射して行なわれる。すなわち、第１基板１１、情報記録層１２及び第１反射層１３を透過させて、光描画層１７の描画用ガイドトラック２４に照射したＣＤ用レーザ光２８の反射光を、上記の光検出器４により検出する。そして、この検出信号に基づいて制御信号処理回路６により生成したトラッキングサーボの制御信号により、サーボ制御回路７がトラッキングエラー信号に基づいて、図示しないレンズアクチュエータにより対物レンズを動かしてトラッキングを行なう。これにより、ＣＤ用レーザ光２８は、描画用ガイドトラック２４を精度良くトラッキング可能であると共に、所望の位置においてレーザパワーを変化させて描画を行なうことができるのである。光描画層１７へのＣＤ用レーザ光２８の照射は、例えばＣＤ用レーザ光２８のレーザパワーの強弱と感熱変化材料の色変化との関係を表した制御テーブルに基づいて、光ディスク上の所望の位置に対して感熱変化材料に色変化をもたらすレーザパワーでレーザ光を照射することで描画を行うようにする。描画データに基づいてレーザを照射すべき光描画層１７上の位置は、例えば描画用ガイドトラック２４にプリピットなどによって予め設けられているアドレス情報などに基づいて求めることが出来る。このようにして、ＣＤ用レーザ光２８の光スポットによる光描画層１７の加熱部分が熱変色することで、描画が行なわれる。より具体的には、ＣＤ用レーザ光２８は、第２反射層１６にスポッティングされ、これにより第２反射層１６が加熱され、この第２反射層１６から伝熱された光描画層１７の加熱部分が熱変色することとなる。
［００４７］
同図（ｂ）の構造では、各凹部３１内の光描画層１７の感熱変化材料が熱変色することになるため、多数の凹部３１を画像におけるピクセル的に機能させることができる。このため、コントラスト（濃度）はやや落ちるものの、画線ににじみ（ぼやけ）等のない鮮明な描画を形成することができる。一方、同図（ａ）の構造では、各凹部３１内に限らず平坦部３２およびランド部３３においても光描画層１７の感熱変化材料が熱変色することになるため
【手続補正６】
【補正対象書類名】明細書
【補正対象項目名】００１１
【補正方法】変更
【補正の内容】
【００１１】
、十分なコントラストの画像を得ることができる。また、各凹部３１の各々に、異なる発色が可能な感熱変化材料を成膜しておくことで、複数色での描画を可能にすることができる。同様にトラック単位や、所定アドレスで異なる発色が可能な感熱変化材料を成膜したりすることでも同様の効果を得ることができる。
［００４８］
また、描画用ガイドトラック２４によりトラッキング信号の他、その凹部３１と平坦部３２とにより光描画層１７のアドレス信号を取得することが可能である。従って、ＣＤ用レーザ光２８による光描画層１７への描画は、例えば画像データがビットマップ形式である場合には、この画像データを極座標形式のデータに変換し、光ディスク盤面上の実際の位置と、光描画層１７のアドレスで示される位置との関係に基づき描画位置を定めればよい。なお、描画に際し、予め光ディスクＤａに表記されている「ＤＶＤ−Ｒ」の文字が位置認識可能であれば、（もしくは「ＤＶＤ−Ｒ」の文字が既知の位置に描かれているのであれば）ファイナライズ後の光ディスクの「ＤＶＤ−Ｒ」の表記の後ろに「ＯＭ」を描画し、表記を「ＤＶＤ−ＲＯＭ」に変えることも可能である。これにより、何も記録されていないＤＶＤ−Ｒディスクに情報を記録した後に、ＤＶＤ−ＲＯＭ７ディスクのように表示することが出来る。
［００４９］
以上のように、本実施形態によれば、描画用ガイドトラック２４を描画のためのトラッキング用およびフォーカシング用とし用いることで、記録面Ａ側から照射したレーザ光によっても精度よく描画を行うことができる。また、描画用ガイドトラック２４内における光描画層１７の感熱変化材料を感熱変化させることにより、画線ににじみ（ぼやけ）等のない鮮明な描画を形成することができる。また、描画用ガイドトラック２４を設けたことにより、光描画層１７の所望の位置に正確に描画することができる。また、光描画層１７と情報記録層１２の間に第２基板１５を設けたことにより、情報記録層１２に情報を記録した際の熱の影響が光描画層１７に伝わるのを防止することができる。さらに、描画用ガイドトラックを断続形状にすることにより、
【手続補正書】
【提出日】平成21年9月29日(2009.9.29)
【手続補正１】
【補正対象書類名】特許請求の範囲
【補正対象項目名】全文
【補正方法】変更
【補正の内容】
【特許請求の範囲】
【請求項１】
レーベル面側に形成され、記録面側から入射したレーザ光により感熱変化して画像が形成される光描画層と、
前記光描画層の前記レーベル面側に形成され、前記光描画層を保護すると共に前記画像を前記レーベル面側から可視可能な保護層と、
前記保護層および前記光描画層を支持する基板と、
前記光描画層に形成され、ガイド方向に断続するように形成されたガイドトラックと、を備え、
前記光描画層を構成する感熱変化材料は、前記ガイドトラックの複数の凹部にのみ成膜されていることを特徴とする光ディスク。
【請求項２】
前記保護層と前記光描画層との間に反射層を、更に備え、
前記反射層は、可視光を透過可能に構成されていることを特徴とする請求項１に記載の光ディスク。
【請求項３】
前記光描画層と前記基板との間に反射層を、更に備えていることを特徴とする請求項１に記載の光ディスク。
【請求項４】
前記基板の前記記録面側に積層した貼合せ基板と、
前記貼合せ基板の貼合せ側に形成した情報記録層と、更に備え、
前記情報記録層は、波長選択透過反射膜を有していることを特徴とする請求項１に記載の光ディスク。
【請求項５】
前記基板の前記記録面側に形成した情報記録層、更に備え、
前記情報記録層は、波長選択透過反射膜を有していることを特徴とする請求項１に記載の光ディスク。
【請求項６】
前記保護層および前記光描画層が、データ領域以外の領域に形成されていることを特徴とする請求項１に記載の光ディスク。
【請求項７】
前記光描画層は、金属粒子を混合した感熱材料で構成されていることを特徴とする請求項１に記載の光ディスク。
【請求項８】
前記保護層が、印刷装置により印刷可能な印刷層を兼ねていることを特徴とする請求項１に記載の光ディスク。
【請求項９】
前記保護層が、印刷装置により印刷可能な印刷層を兼ねており、
前記光描画層の非描画時の色彩は、白色系であることを特徴とする請求項１に記載の光ディスク。
【請求項１０】
請求項１に記載の光ディスクを導入し、前記情報記録層にレーザ光を照射し情報を記録および／または再生すると共に、前記光描画層にレーザ光を照射して前記画像を描画することを特徴とする光ディスク装置。
【請求項１１】
前記情報記録層に照射する前記レーザ光と、前記光描画層に照射する前記レーザ光とは、波長が異なることを特徴とする請求項１０に記載の光ディスク装置。
【請求項１２】
前記ガイドトラックに基づいて、前記光描画層にレーザ光を照射して前記画像を描画することを特徴とする請求項１０に記載の光ディスク装置。
【国際調査報告】
2008139510.tif 000011
2008139510.tif 000012